(57)【要約】      （修正有）【課題】伸縮装置に耐疲労鋼を用いることによって、必要最小限の部材で疲労耐久性の高い鋼製の伸縮装置を提供する。【解決手段】遊間部を覆い直接輪荷重を支持する鋼製フェイスプレート２と、フェイスプレート２を下から支持する橋軸と交差する方向のウェブプレート３と、フェイスプレート２の下面とウェブプレート３の背面に溶接されるずれ止め部材としての孔あき鋼板ジベル４とを備えた橋梁の伸縮装置１であり、フェイスプレート２とウェブプレート３と孔あき鋼板ジベル４が耐疲労鋼からなっている。また、ウェブプレート３と孔あき鋼板ジベル４とが上下方向に延びる部材とし、フェイスプレート２以外は、水平方向の鋼材を設けない。【選択図】図１
2014105524.tif 000002
【特許請求の範囲】
【請求項１】
橋軸方向に所定の遊間をおいて支持される隣接する橋桁上部の床版間に設ける橋梁の伸縮装置であって、前記遊間部を覆い直接輪荷重を支持する鋼製のフェイスプレートと、前記フェイスプレートを下から支持する橋軸と交差する方向のウェブプレートと、前記フェイスプレートの下面と前記ウェブプレートの背面に溶接されるずれ止め部材としての孔あき鋼板ジベルとを備え、前記フェイスプレートと前記ウェブプレートと前記孔あき鋼板ジベルが耐疲労鋼からなることを特徴とする橋梁の伸縮装置。
【請求項２】
前記ウェブプレートと前記孔あき鋼板ジベルとが上下方向に延びる部材であり、前記フェイスプレート以外には水平方向の鋼材を設けないようにしたことを特徴とする請求項１記載の橋梁の伸縮装置。
【請求項３】
前記フェイスプレートの端部に前記孔あき鋼板ジベルが溶接される部分を斜めに形成してあることを特徴とする請求項１または２記載の橋梁の伸縮装置。
【請求項４】
前記孔あき鋼板ジベルの下端が前記ウェブプレートの下端以下となるようにしたことを特徴とする請求項１、２または３記載の橋梁の伸縮装置。
【発明の詳細な説明】
【技術分野】
【０００１】
本発明は、道路橋の橋梁などに用いる地震あるいは温度変化による路面の移動を吸収する伸縮装置に関するものである。
【背景技術】
【０００２】
一般的に、道路橋の橋梁などに設ける伸縮装置の材料としては、鋼製、ゴム製などがある。例えば、鋼製の伸縮装置は、形状の自由度が大きいという利点があり、小遊間から大遊間まで様々な場合に用いられるが、鋼板を複雑に組み合わせて製作するため、加工費が高くなるという問題点がある。また、鋼部材の損傷理由の一つに疲労損傷が挙げられるが、直接輪荷重の影響を受ける伸縮装置も溶接構造であるため、例外ではなく、疲労耐久性について配慮を行う必要がある。このような背景から、必要最小限の部材で疲労耐久性に優れた伸縮装置が望まれている。
【０００３】
伸縮装置に関する先行技術文献として、例えば特許文献１、２や非特許文献１〜７がある。
【０００４】
特許文献１〜２には、橋梁の伸縮装置や伸縮装置の定着構造に関する発明が開示されている。非特許文献１〜３には、従来の鋼製の伸縮装置における疲労損傷に関して述べられている。非特許文献４〜６には、非特許文献１〜３などの損傷事例を考慮した伸縮装置の疲労耐久性に関する構造が検討されている。
【先行技術文献】
【特許文献】
【０００５】
【特許文献１】特開２００４−１４３８４５号公報
【特許文献２】実用新案登録第３１６４０３１号公報
【非特許文献】
【０００６】
【非特許文献１】西浩嗣、荒本貴司、酒井修平、小野修一、“鋼製フィンガージョイントの疲労試験”、土木学会第６３回年次学術講習会（平成２０年度）、pp.145-146
【非特許文献２】長尾千瑛、米川英雄、“東名高速道路（沼津〜富士間）における鋼製くし形伸縮装置の損傷に関する考察”、土木学会第６３回年次学術講習会（平成２０年度）、pp.143-144
【非特許文献３】S.Ono、S.Sakai&T.Imamura、“Fatigue evaluation of steel finger type expansion joints for highway”、IABMAS2010（The Fifth International Conference on Bridge Maintenance, Safety and Management）、pp.3447-3452
【非特許文献４】芦塚憲一郎、忽那幸浩、谷中聡久、岩崎雅紀“改良型伸縮装置の疲労耐久性に関する検討”、土木学会第５８回年次学術講習会（平成１５年度）、pp.1303-1304
【非特許文献５】忽那幸浩、芦塚憲一郎、小池洋平、岩崎雅紀、“改良型伸縮装置の定着強度特性に関する検討”、土木学会第５８回年次学術講習会（平成１５年度）、pp.1301-1302
【非特許文献６】芦塚憲一郎、谷中聡久、忽那幸浩、“改良型鋼製伸縮装置の定着部の強度と耐久性に関する検討”、橋梁と基礎（２００４年１０月）、pp.33-38
【非特許文献７】中西文雄、吉田哲也、渡辺喜紀、依田照彦、“孔あきジベルを用いたアルミ合金鋳物製伸縮装置に関する実験的研究”、土木学会第５９回年次学術講習会（平成１６年度）、pp.1043-1044
【発明の概要】
【発明が解決しようとする課題】
【０００７】
従来の鋼製の伸縮装置では、非特許文献１〜３に記載されているように、フェイスプレートやウェブプレートなどに疲労損傷が見られ、車両走行の安全性に問題が生じる状態になることが考えられる。
【０００８】
伸縮装置の疲労耐久性を向上させるためには、非特許文献４〜６のように伸縮装置を改良する必要があり、溶接の仕上げによる疲労等級の向上や板組み構成による応力低減などが考えられるが、製作費が高くなってしまう。
【０００９】
また、薄肉の鋼部材で伸縮装置を構成するため、構造が複雑化し、部材数が多くなる。その結果、溶接量が増加し、疲労耐久性が低下してしまう可能性が考えられる。
【００１０】
伸縮装置において、疲労耐久性を向上させるための前提条件として、コンクリートと確実に一体化できる構造である必要がある。
【００１１】
本発明は、このような課題の解決を図ったものであり、橋梁の伸縮装置に耐疲労鋼を用いることによって、必要最小限の部材で疲労耐久性の高い鋼製の伸縮装置を提供することを目的としたものである。
【課題を解決するための手段】
【００１２】
本発明は、橋軸方向に所定の遊間をおいて支持される隣接する橋桁上部の床版間に設ける橋梁の伸縮装置であって、遊間部を覆い直接輪荷重を支持する鋼製のフェイスプレートと、フェイスプレートを下から支持する橋軸と交差する方向のウェブプレートと、フェイスプレートの下面と前記ウェブプレートの背面に溶接されるずれ止め部材としての孔あき鋼板ジベルとを備え、フェイスプレートとウェブプレートと孔あき鋼板ジベルが耐疲労鋼からなることを特徴とするものである。
【００１３】
耐疲労鋼は、母材の疲労き裂進展特性を向上させ、あるいは溶接継手の疲労き裂発生特性を向上させ、あるいは両特性を向上させて、溶接鋼構造物の疲労寿命を延伸させる鋼材である。一般に、適切な化学成分を有するスラブを、最適な冷却・圧延プロセスを経て製造される。
【００１４】
従来では、造船、海洋構造物、建設機械などに使用されている耐疲労鋼を伸縮装置に用いることによって、伸縮装置の疲労耐久性を向上させることができる。
【００１５】
鋼製直接輪荷重を支持するフェイスプレート、フェイスプレートを下から支持する橋軸と交差する方向のウェブプレート、フェイスプレートの下面とウェブプレートの背面に溶接されるずれ止め部材としての孔あき鋼板ジベルに耐疲労鋼を用いれば、従来のように疲労等級の高い継手を採用する必要がなく、伸縮装置としての必要最小限の部材で構成することができる。
【００１６】
また、材料自体の疲労耐久性を向上させ、加工の少ない構造とすることで、疲労上の弱点である溶接自体を少なくすることもできる。必要最小限の部材で伸縮装置を構成するため、耐疲労鋼を使用してもコストが上がることはなく、製作工数を削減することができる。
【００１７】
また、本発明の伸縮装置において、ウェブプレートと孔あき鋼板ジベルとを上下方向に延びる部材とし、フェイスプレート以外には水平方向の鋼材等水平方向の部材を実質的に設けないようにするとよい。
【００１８】
本発明において、ウェブプレートと孔あき鋼板ジベルは上下方向に延ばすことが可能であり、例えば図２（ｂ）、（ｃ）に示したようにウェブプレートと孔あき鋼板ジベルの下端のどちらが下になっても構わない。
【００１９】
また、図１に示したように、フェイスプレートを水平方向に設け、フェイスプレート以外は水平方向にならないように設置することによって、コンクリートを打設しやすく、コンクリートの充填性を高めることができる。また、コンクリートに埋設する鋼部材も鉛直に配置する方が好ましい。
【００２０】
また、フェイスプレート端部の孔あき鋼板ジベルが溶接される部分は、斜めに形成するとよい。
【００２１】
フェイスプレートの端部に孔あき鋼板ジベルの側部を溶接する場合において、フェイスプレートの端部を斜めに形成することによって、定着長を確保することができる。
【００２２】
本発明の伸縮装置では、孔あき鋼板ジベルの下端がウェブプレートの下端以下となるようにすることができる。
【００２３】
例えば、図２（ｃ）のように、孔あき鋼板ジベルの下端がウェブプレートの下端と同等の位置、またはそれ以下の位置にある場合、孔あき鋼板ジベルの下端で伸縮装置を支持することができ、伸縮装置を安定させることができる。
【発明の効果】
【００２４】
本発明に係る耐疲労鋼を用いた伸縮装置は、以上のような構成からなるので、次のような効果が得られる。
【００２５】
(1) 耐疲労鋼を用いることにより、必要最小限の部材で疲労耐久性の高い鋼製伸縮装置を構成することができる。
【００２６】
(2) 全て鋼板で構成し、フェイスプレート以外には水平方向の鋼材を設けずに組み立てることで、コンクリートの充填性を確保することができる。
【００２７】
(3) フェイスプレートの端部を斜めに形成することで、ずれ止めの定着長を確保することができる。
【図面の簡単な説明】
【００２８】
【図１】本発明に係る伸縮装置の一実施形態を示した概略斜視図である。
【図２】本発明に係る伸縮装置の一実施形態を示したものであり、（ａ）は平面図、（ｂ）は孔あき鋼板ジベルの下端がウェブプレートの下端よりも上である場合の断面図、（ｃ）は孔あき鋼板ジベルの下端とウェブプレートの下端が同じ位置にある場合の断面図を示している。
【発明を実施するための形態】
【００２９】
以下、本発明の具体的な実施の形態について説明する。なお、本発明は、以下に説明する実施形態に限定されるものではない。
【００３０】
図１は、本発明に係る伸縮装置１の一実施形態を概略的な斜視図で示したものである。図２は、本発明に係る伸縮装置１において、フェイスプレート２、ウェブプレート３、孔あき鋼板ジベル４の一実施形態を示したものであり、（ａ）は平面図、（ｂ）は孔あき鋼板ジベル４の下端がウェブプレート３の下端より上にある場合の断面図、（ｃ）は孔あき鋼板ジベル４の下端がウェブプレート３の下端と同じ位置にある場合の断面図を示している。
【００３１】
図１、２に示したように、本発明に係る伸縮装置１は、フェイスプレート２、ウェブプレート３、孔あき鋼板ジベル４を備えており、フェイスプレート２、ウェブプレート３、孔あき鋼板ジベル４は耐疲労鋼からなっている。
【００３２】
フェイスプレート２は、フィンガージョイントを用いており、水平方向に設置されている。
【００３３】
ウェブプレート３は、フェイスプレート２の下面に鉛直方向に溶接されており、フェイスプレート２を下方から支持している。
【００３４】
ウェブプレート３の側面には、ずれ止め部材として孔あき鋼板ジベル４が設置されている。孔あき鋼板ジベル４の設置間隔は、橋軸直角方向に２００ｍｍ程度としており、孔あき鋼板ジベル４はフェイスプレート２とウェブプレート３に溶接されている。
【００３５】
また、フェイスプレート２と孔あき鋼板ジベル４の溶接部は、フェイスプレート２と孔あき鋼板ジベル４の端部をそれぞれ斜めに加工しており、溶接部の定着長を確保し、溶着を安定させている。
【００３６】
孔あき鋼板ジベル４には、鉄筋５を貫通させて設置し、コンクリートとの定着をより高めている。
【００３７】
図２（ｂ）には、孔あき鋼板ジベル４の下端がウェブプレート３の下端よりも上にある場合を示している。図２（ｃ）には、孔あき鋼板ジベル４の下端がウェブプレート３の下端と同じ位置にある場合を示している。
【００３８】
図２（ｃ）の場合、伸縮装置１をウェブプレート３の下端と孔あき鋼板ジベル４の下端とで支えることができるため、下端に水平方向の部材がなくても伸縮装置１の安定性を向上させることができる。
【００３９】
なお、明細書では、図２（ｂ）、（ｃ）の２つの例を示したが、孔あき鋼板ジベル４の下端がウェブプレート３の下端よりも下にあってもよい。
【００４０】
本発明に係る伸縮装置１は、フェイスプレート２、ウェブプレート３、孔あき鋼板ジベル４に耐疲労鋼を用いることによって、疲労耐久性を向上させることができるため、図１、２に示したような必要最小限の部材で伸縮装置を構成することが可能である。
【００４１】
また、全てを鋼板で構成し、フェイスプレート２以外には水平方向の部材を設けずに組み立てているため、コンクリートの充填性に優れており、コンクリートとの定着を確保しやすい。
【００４２】
孔あき鋼板ジベル４の端部やフェイスプレート２の端部を斜めに形成することで、定着長を確保することができる。
【符号の説明】
【００４３】
１…伸縮装置、
２…フェイスプレート、
３…ウェブプレート、
４…孔あき鋼板ジベル、
５…鉄筋
【図１】
2014105524.tif 000003
【図２】
2014105524.tif 000004